(57)【要約】【課題】仮設の車線を作って上記路側機アンテナを設置及び撤去する場合に、仮設の車線上に路側機アンテナを簡単な作業により短時間で行うことができる路側機アンテナの吊下げ装置を提供する。【解決手段】路側機アンテナＡ１を上部の表示装置Ａ２とともにクレーン装置２のブーム２１により略水平に吊下げる路側機アンテナの吊下げ装置１であって、ブーム２１の途中部とブーム２１に近い方の表示装置上部一端とに両端が着脱自在に枢支された連結リンク３と、ブーム２１の先端とブーム２１から遠い方の表示装置上部他端とに両端が着脱自在に枢支され、途中部で屈折自在な屈折リンク４と、ブーム２１を所定角度起立させることにより連結リンク３と屈折リンク４を介してクレーン装置２により路側機アンテナＡ１が表示装置Ａ２とともに所定の高さ位置に略水平状態で吊下げ配置されるようになされている。【選択図】  図１
2005208976.tif 000002
【特許請求の範囲】
【請求項１】
車輌を停止させることなく通行料金を収受する自動料金収受システムに用いられる路側機アンテナを上部の表示装置とともにクレーン装置のブームにより略水平に吊下げる路側機アンテナの吊下げ装置であって、
上記ブームの途中部とブームに近い方の表示装置上部一端とに両端が着脱自在に枢支された連結リンクと、
上記ブームの先端とブームから遠い方の表示装置上部他端とに両端が着脱自在に枢支され、途中部で屈折自在な屈折リンクと、
上記ブームを所定角度起立させることにより上記連結リンクと上記屈折リンクを介してクレーン装置により路側機アンテナが表示装置とともに所定の高さ位置に略水平状態で吊下げ配置されるようになされたことを特徴とする路側機アンテナの吊下げ装置。
【請求項２】
前記ブームを伏倒させることにより、前記屈折リンクの屈折動作によって地上において路側機アンテナが表示装置とともに略水平状態で載置台に載置されるようになされたことを特徴とする請求項１記載の路側機アンテナの吊下げ装置。
【請求項３】
前記屈折リンクを構成する少なくとも１つのリンク体が伸縮自在に構成されたことを特徴とする請求項１又は２記載の路側機アンテナの吊下げ装置。
【発明の詳細な説明】
【技術分野】
【０００１】
本発明は、有料道路の料金所を通過する際に車輌を停止させることなく通行料金を収受する自動料金収受システムに用いられる路側機アンテナを吊下げるための路側機アンテナの吊下げ装置に関するものである。
【背景技術】
【０００２】
料金所に設置される路側機アンテナは、各料金所の車線上の所定高さ位置に固定的に配置されており、各車輌が料金所を通過する際に、路側機アンテナと車輌に搭載された車載機との間で無線による通信を行い、車輌の走行を停止させることなく、自動的に料金を収受するようにしている。
【特許文献１】特開平１１−２９６７０８号公報（段落番号００２８、図２）
【発明の開示】
【発明が解決しようとする課題】
【０００３】
上記従来のように路側機アンテナを固定的に配置したものでは、路側機アンテナが故障した場合や、メンテナンスにより路側機アンテナを作動停止させる場合などに、その車線が使用できなくなる。この場合、交通量の多い料金所などでは仮設の車線を作って渋滞などを回避する必要がある。
【０００４】
しかしながら、仮設の車線上に上記路側機アンテナを固定的に設置するには非常に大掛りな工事を行わなければならず、工期の長期化を招くとともに、設置コストの高騰を招くという問題があった。また、これを撤去する場合にも同様に大掛りなものになる。
【０００５】
本発明は、上記問題点に鑑みてなされたもので、その目的とするところは、仮設の車線を作って上記路側機アンテナを設置及び撤去する場合に、仮設の車線上に路側機アンテナを簡単な作業により短時間で行うことができる路側機アンテナの吊下げ装置を提供することにある。
【課題を解決するための手段】
【０００６】
上記の目的を達成するため、請求項１に係る発明の路側機アンテナの吊下げ装置は、車輌を停止させることなく通行料金を収受する自動料金収受システムに用いられる路側機アンテナを上部の表示装置とともにクレーン装置のブームにより略水平に吊下げる路側機アンテナの吊下げ装置であって、上記ブームの途中部とブームに近い方の表示装置上部一端とに両端が着脱自在に枢支された連結リンクと、上記ブームの先端とブームから遠い方の表示装置上部他端とに両端が着脱自在に枢支され、途中部で屈折自在な屈折リンクと、上記ブームを所定角度起立させることにより上記連結リンクと上記屈折リンクを介してクレーン装置により路側機アンテナが表示装置とともに所定の高さ位置に略水平状態で吊下げ配置されるようになされたものである。
【０００７】
請求項２に係る発明の路側機アンテナの吊下げ装置は、前記ブームを伏倒させることにより、前記屈折リンクの屈折動作によって地上において路側機アンテナが表示装置とともに略水平状態で載置台に載置されるようになされたものである。
【０００８】
請求項３に係る発明の路側機アンテナの吊下げ装置は、前記屈折リンクを構成する少なくとも１つのリンク体が伸縮自在に構成されたものである。
【発明の効果】
【０００９】
本発明によれば、路側機アンテナの設置及び撤去を簡単にしかも短時間で迅速に行うことができるので、設置及び撤去にかかる全体のコストを大幅に削減することができる。
【発明を実施するための最良の形態】
【００１０】
以下、本発明の実施の形態について図面を参照して説明する。
【００１１】
図１は、本発明の路側機アンテナの吊下げ装置を示している。
【００１２】
図において、Ａ１は路側機アンテナであって、表示装置Ａ２の下部に当該表示装置Ａ２と一体的に設けられている。この路側機アンテナＡ１は、有料道路の料金所を通過する際に車輌を停止させることなく通行料金を収受する自動料金収受システムに用いられるもので、各料金所における車線上の所定高さ位置に配置されている。従って、各車輌が料金所を通過する際に、路側機アンテナと車輌に搭載された車載機との間で無線による通信を行うことによって自動的に料金を収受するようにしている。
【００１３】
また、表示装置Ａ２は、この車線は自動料金収受システム用の車線であるとドライバーが前方から認識し易いように、例えば「ＥＴＣ」の文字などを車輌の走行方向と対峙する表面に表示している。
【００１４】
そして、上記路側機アンテナＡ１及び表示装置Ａ２（以下、路側機アンテナＡ１等という。）は、本発明の路側機アンテナＡ１の吊下げ装置１によって車線上の所定高さ位置に配置することができる。
【００１５】
吊下げ装置１は、クレーン装置としてのクレーン車２と、クレーン車２の伸縮ブーム２１に前記路側機アンテナＡ１等を吊下げるための連結リンク３及び屈折リンク４とで構成されている。
【００１６】
クレーン車２は、車体２ａに旋回ポスト２２が水平旋回自在に立設されるとともに、該旋回ポスト２２の上部に伸縮ブーム２１が起伏自在に設けられてなるものである。伸縮ブーム２１は、例えば図示例のように基端側の基端ブーム２１ａに対して中間ブーム２１ｂと先端ブーム２１ｃとが伸縮自在に構成された３段式に構成されている。また、車体２ａには、作業時（設置時）に当該車体を安定的に支持するジャッキ２ｂが例えば前後左右に４本設けられている。
【００１７】
前記連結リンク３は、一端が上記中間ブーム２１ｂの先端に例えばピン連結によって着脱自在に枢支されるとともに、他端が伸縮ブーム２１に近い方の表示装置Ａ２の上部一端にピン連結によって着脱自在に枢支されている。
【００１８】
一方、前記屈折リンク４は、２本のリンク体４ａ、４ｂの一端同士が屈折自在に連結されてなり、リンク体４ａの他端が上記先端ブーム２１ｃの先端に例えばピン連結によって着脱自在に枢支されるとともに、リンク体４ｂの他端が伸縮ブーム２１から遠い方の表示装置Ａ２の上部他端にピン連結によって着脱自在に枢支されている。
【００１９】
また、上述した路側機アンテナＡ１等は、地上等において載置台５（一点鎖線参照）上に載置することができる。
【００２０】
載置台５は、例えば４本の支持脚（図では前方の２本のみ示す）５１が連結材５２を通じて連結されており、表示装置Ａ２の下部両端がそれぞれ対応する左右の支持脚５１の上端に例えばピン連結により着脱自在に設けられている。
【００２１】
各支持脚５１の下端には車輪５３が設けられ、路側機アンテナＡ１等を載置した状態で適宜な保管場所などに搬送して保管できるようになされている。
【００２２】
次に、このように構成された路側機アンテナの吊下げ装置により路側機アンテナ等を吊下げ及び撤去する手順について説明する。
【００２３】
まず、路側機アンテナＡ１等を吊下げる場合には、伸長させた伸縮ブーム２１を略水平に配置し、この伸縮ブーム２１の先端ブーム２１ｃ下方に載置台５に載置している路側機アンテナＡ１等を配置する。
【００２４】
続いて、連結リンク３の両端を表示装置Ａ２の上部一端と中間ブーム２１ｂの先端とにそれぞれピン連結するとともに、屈折リンク４の両端を表示装置Ａ２の上部他端と先端ブーム２１ｃの先端とにそれぞれピン連結する。この場合、屈折リンク４は、図１に一点鎖線で示すように屈折状態となっている。
【００２５】
この状態で載置台５と表示装置Ａ２の下部両端とのピン連結を解除し、この後に伸縮ブーム２１を起立させる。これにより路側機アンテナＡ１等は、まず表示装置Ａ２の一端側が上方に持ち上げられて載置台５１から離脱し、全体として徐々に斜めになるのに伴って屈折リンク４が屈折状態から徐々に伸びていく。
【００２６】
この際、屈折リンク４が伸びるのに伴って表示装置Ａ２の他端側が車輌側に移動することになるが、これに合わせて載置台５も同様に移動することによって上記表示装置Ａ２の他端側の移動を許容する。なお、必要に応じて作業者が載置台５の移動を補助するようにしてもよい。
【００２７】
そして、図１に二点鎖線で示すように屈折リンク４が伸びきった状態になると、引き続いて行われる伸縮ブーム２１の起立動作により表示装置Ａ２の他端側も上方に持ち上げられて載置台５１から離脱し、伸縮ブーム２１を図１に実線で示すように所定角度起立させることで、路側機アンテナＡ１等を所定の高さ位置に略水平な状態で配置することができる。
【００２８】
つまり、伸縮ブーム２１をある角度まで起立させた場合に路側機アンテナＡ１等が所定の高さで略水平になるように、各リンク３、４の長さや、各リンク３、４と伸縮ブーム２１及び路側機アンテナＡ１との取付位置などが予め設定されている。
【００２９】
このようにして路側アンテナＡ１等を所定の高さ位置に略水平状態で配置することで、路側機アンテナＡ１の故障やメンテナンスなどにより、仮設の車線を作ってこの車線上に路側機アンテナＡ１を設置する場合でも簡単にしかも短時間で迅速に設置することができる。
【００３０】
また、路側機アンテナＡ１等を裏表逆に吊り下げることも可能であるとともに、伸縮ブーム２１を旋回ポスト２２を介して旋回させることもできるため、設置位置（駐車位置）に対する路側機アンテナＡ１等を設置する自由度を高めることができる。
【００３１】
次に、上述のようにして設置した路側機アンテナＡ１を撤去する場合には、伸縮ブーム２１を伏倒させることで、前述した動作と逆に路側機アンテナＡ１を降ろしていく。これにより、まず路側機アンテナＡ１の下部他端が位置合わせされた載置台５の支持脚５１上端に載置され、ここで一旦伸縮ブーム２１の伏倒動作を停止して両者をピン連結する（図１二点鎖線参照）。
【００３２】
この後、再び伸縮ブーム２１を伏倒させることで、屈折リンク４が屈折しながら路側機アンテナＡ１等が傾斜状態から徐々に水平状態になって表示装置Ａ２の下部一端が支持脚５１の上端に載置されて両者をピン連結する（図１一点鎖線参照）。
【００３３】
この際、屈折リンク４が屈折するのに伴って表示装置Ａ２の他端側が車輌と反対側に移動することになるが、これに合わせて載置台５も同様に移動することによってこの表示装置Ａ２の他端側の移動を許容する。なお、必要に応じて作業者が載置台５の移動を補助するようにしてもよい。
【００３４】
そして、この状態で連結リンク３及び屈折リンク４の両端を表示装置Ａ２と伸縮ブーム２１とから取り外すことで路側機アンテナＡ１等が載置台５上に載置され、載置台５を移動させることによって路側機アンテナＡ１等を適宜な保管場所に保管する。
【００３５】
このように路側機アンテナＡ１を撤去する場合も、設置する場合と同様に簡単にしかも短時間で迅速に設置することができるので、設置及び撤去にかかる全体のコストを大幅に削減することができる。
【００３６】
なお、路側機アンテナＡ１等を設置しない場合には、本来のクレーン車として使用することができ、これによりクレーン車の運用効率を高めることができる。
【００３７】
また、前記屈折リンク４の少なくとも一方のリンク体（例えばリンク体４ａ）を伸縮自在に構成することで、伸縮ブーム２１の起立角度を変更して路側機アンテナＡ１等を設置する必要が生じた場合でも上記リンク体４ａの長さを調整することで、路側機アンテナＡ１等を略水平な状態で吊下げて設置することが可能になる。なお、両方のリンク体４ａ、４ｂを伸縮自在に構成してもよい。
【００３８】
なお、上述した実施形態は、あくまでも本発明の好適な実施態様を示すものであって、本発明はこれに限定されることなく、その範囲内において種々設計変更可能である。
【００３９】
例えば、クレーン装置は、クレーン車に限らず、車輌から脱着できるタイプのものなどでもよい。要するに路側機アンテナＡ１等を設置場所に配置できて且つ撤去可能なクレーン装置であればどんなクレーン装置でもよい。
【００４０】
また、ブームも３段式のものに限らず、２段式又は３段以上のものでもよい。
【００４１】
さらに、屈折リンク４は、２本のリンク体４ａ、４ｂからなるものに限らず、３本以上のリンク体からなるものでもよい。
【産業上の利用可能性】
【００４２】
有料道路の料金所を通過する際に車輌を停止させることなく通行料金を収受する自動料金収受システムにおいて、路側機アンテナを仮設する場合に適用できる。
【図面の簡単な説明】
【００４３】
【図１】本発明の路側機アンテナの吊下げ装置を示す車輌の後側から見た図である。
【符号の説明】
【００４４】
１  吊下げ装置
２  クレーン車（クレーン装置）
２１  伸縮ブーム
３  連結リンク
４  屈折リンク
５  載置台
Ａ１  路側機アンテナ
Ａ２  表示装置
【図１】
2005208976.tif 000003